(57)【要約】【課題】書込み動作を安定にかつ高速に行うことができるプラズマディスプレイパネルの駆動方法を提供する。【解決手段】プライミング電極を有するプラズマディスプレイパネルの駆動方法であって、走査電極のうち、自己の走査に伴ってプライミング放電を発生させるとともに書込みを行う走査電極ＳＣ１〜ＳＣｎに印加する走査パルスのパルス幅が、自己の走査に伴ってプライミング放電を発生させずに書込みを行う走査電極に印加する走査パルスのパルス幅よりも長くした。【選択図】  図４
2004287175.tif 000002
【特許請求の範囲】
【請求項１】
互いに平行に配置された複数の走査電極および複数の維持電極と、前記走査電極と交差する方向に配置された複数のデータ電極とを有し、１フィールド期間を初期化期間、書込み期間、維持期間を有する複数のサブフィールドで構成したプラズマディスプレイパネルの駆動方法であって、
プラズマディスプレイパネルは前記走査電極と平行であって対応する走査電極との間でプライミング放電を発生する複数のプライミング電極とを有し、
前記書込み期間において、前記走査電極のうち、自己の走査に伴ってプライミング放電を発生させずに書込みを行う走査電極に印加する走査パルスのパルス幅が、自己の走査に伴ってプライミング放電を発生させるとともに書込みを行う走査電極に印加する走査パルスのパルス幅よりも短いことを特徴とするプラズマディスプレイパネルの駆動方法。
【発明の詳細な説明】
【０００１】
【発明の属する技術分野】
本発明は、プラズマディスプレイパネルの駆動方法に関する。
【０００２】
【従来の技術】
プラズマディスプレイパネル（以下、ＰＤＰあるいはパネルと略記する）は、大画面、薄型、軽量であることを特徴とする視認性に優れた表示デバイスである。ＰＤＰの放電方式としてはＡＣ型とＤＣ型とがあり、電極構造としては３電極面放電型と対向放電型とがある。しかし現在は、高精細化に適し、しかも製造の容易なことからＡＣ型かつ面放電型であるＡＣ型３電極ＰＤＰが主流となっている。
【０００３】
ＡＣ型３電極ＰＤＰは、一般に、対向配置された前面板と背面板との間に多数の放電セルを形成してなる。前面板は、走査電極と維持電極とからなる表示電極が前面ガラス基板上に互いに平行に複数対形成され、それら表示電極を覆うように誘電体層および保護層が形成されている。背面板は、背面ガラス基板上に複数の平行なデータ電極と、それらを覆うように誘電体層と、さらにその上にデータ電極と平行に複数の隔壁がそれぞれ形成され、誘電体層の表面と隔壁の側面とに蛍光体層が形成されている。そして、表示電極とデータ電極とが立体交差するように前面板と背面板とが対向、密封され、内部の放電空間には放電ガスが封入されている。このような構成のパネルにおいて、各放電セル内でガス放電により紫外線を発生させ、この紫外線でＲＧＢ各色の蛍光体を励起発光させてカラー表示を行っている。
【０００４】
パネルを駆動する方法としては、１フィールド期間を複数のサブフィールドに分割した上で、発光させるサブフィールドの組み合わせによって階調表示を行う、いわゆるサブフィールド法が一般的である。ここで、各サブフィールドは初期化期間、書込み期間および維持期間をもつ。
【０００５】
初期化期間では、すべての放電セルで一斉に初期化放電を行い、それ以前の個々の放電セルに対する壁電荷の履歴を消すとともに、続く書込み動作のために必要な壁電荷を形成する。加えて、書込み放電を安定に発生させるためのプライミング（放電のための起爆剤＝励起粒子）を発生させるという働きをもつ。
【０００６】
書込み期間では、走査電極に順次走査パルスを印加するとともに、データ電極には表示すべき画像信号に対応した書込みパルスを印加し、走査電極とデータ電極との間で選択的に書込み放電を起こし、選択的な壁電荷形成を行う。
【０００７】
続く維持期間では、走査電極と維持電極との間に所定の回数の維持パルスを印加し、書込み放電による壁電荷形成を行った放電セルを選択的に放電させ発光させる。
【０００８】
このように、画像を正しく表示するためには書込み期間における選択的な書込み放電を確実に行うことが重要であるが、回路構成上の制約から書込みパルスに高い電圧が使えないこと、データ電極上に形成された蛍光体層が放電を起こり難くしていることなど、書込み放電に関しては放電遅れを大きくする要因が多い。したがって、書込み放電を安定に発生させるためのプライミングが非常に重要となる。
【０００９】
しかしながら、放電によって生じるプライミングは時間の経過とともに急速に減少する。そのため、上述したパネルの駆動方法において、初期化放電から長い時間が経過した書込み放電に対しては初期化放電で生じたプライミングが不足し放電遅れが大きくなり、書込み動作が不安定になって画像表示品質が低下するといった問題があった。あるいは、書込み動作を安定に行うために書込み時間を長く設定し、その結果、書込み期間に費やす時間が大きくなりすぎるといった問題があった。
【００１０】
これらの問題を解決するために、パネルに補助放電電極を設け補助放電によって生じたプライミングを用いて放電遅れを小さくするパネルとその駆動方法が提案されている（たとえば特許文献１）。
【００１１】
【特許文献１】
特開２００２−２９７０９１号公報
【００１２】
【発明が解決しようとする課題】
しかしながら、これらのパネルにおいては、補助放電自体の放電遅れが大きいため書込み放電の放電遅れを十分に短縮できなかったり、あるいは補助放電の動作マージンが小さく、パネルによっては誤放電を誘発する場合があるといった問題があった。
【００１３】
さらに、書込み放電の放電遅れを十分に短縮しないまま走査電極数を増やして高精細化を図ると、書込み期間に費やす時間が長くなり維持期間に費やす時間が不足するので結果的に輝度が低下するといった問題を生じてしまう。また、輝度・効率を上げるためにキセノン分圧を上げると、さらに放電遅れが大きくなって書込み動作が不安定になるという問題もある。
【００１４】
本発明は、上述した課題に鑑みなされたものであり、書込み動作を安定にかつ高速に行うことができるプラズマディスプレイパネルの駆動方法を提供することを目的とする。
【００１５】
【課題を解決するための手段】
本発明のプラズマディスプレイパネルの駆動方法は、書込み期間において、自己の走査に伴ってプライミング放電を発生させずに書込みを行う走査電極に印加する走査パルスのパルス幅が、自己の走査に伴ってプライミング放電を発生させるとともに書込みを行う走査電極に印加する走査パルスのパルス幅よりも短いことを特徴とする。
【００１６】
【発明の実施の形態】
すなわち、請求項１に記載の発明は、互いに平行に配置された複数の走査電極および複数の維持電極と、走査電極と交差する方向に配置された複数のデータ電極とを有し、１フィールド期間を初期化期間、書込み期間、維持期間を有する複数のサブフィールドで構成したプラズマディスプレイパネルの駆動方法であって、プラズマディスプレイパネルは走査電極と平行であって対応する走査電極との間でプライミング放電を発生する複数のプライミング電極とを有し、書込み期間において、走査電極のうち、自己の走査に伴ってプライミング放電を発生させずに書込みを行う走査電極に印加する走査パルスのパルス幅が、自己の走査に伴ってプライミング放電を発生させるとともに書込みを行う走査電極に印加する走査パルスのパルス幅よりも短いことを特徴とするプラズマディスプレイパネルの駆動方法である。
【００１７】
以下、本発明の実施の形態におけるプラズマディスプレイパネルの駆動方法について、図面を用いて説明する。
【００１８】
（実施の形態）
図１は本発明の実施の形態に用いられるパネルの一例を示す断面図であり、図２は同パネルの背面基板側の構造を模式的に示す斜視図である。
【００１９】
図１に示すように、ガラス製の前面基板１と背面基板２とが放電空間を挟んで対向配置され、放電空間には放電によって紫外線を放射するネオンおよびキセノンの混合ガスが封入されている。
【００２０】
前面基板１上には、複数の走査電極６と維持電極７とが互いに平行に対をなして、かつ、維持電極７−走査電極６−走査電極６−維持電極７−維持電極７−走査電極６−・・・となるように２本ずつ交互に配列され形成されている。走査電極６と維持電極７はそれぞれ透明電極６ａ、７ａと、透明電極６ａ、７ａ上に形成された金属母線６ｂ、７ｂとから構成されている。ここで、走査電極６間および維持電極７間には黒色材料からなる光吸収層８が設けられている。そして、隣り合う走査電極６のうち、一方の走査電極６の金属母線６ｂの突出部分６ｂ’は光吸収層８上にまで突出して形成されている。そして、これらの走査電極６、維持電極７および光吸収層８とを覆うように誘電体層４および保護層５が形成されている。
【００２１】
背面基板２上には、データ電極９が互いに平行に複数形成され、このデータ電極９を覆うように誘電体層１５が形成され、さらにその上に放電セル１１を区画するための隔壁１０が形成されている。隔壁１０は、図２に示すように、データ電極９に平行な縦壁部１０ａと、放電セル１１を形成しかつ放電セル１１の間に隙間部１３を形成する横壁部１０ｂとで構成されている。そして、隙間部１３のうち、走査電極６の突出部分６ｂ’と対向する隙間部１３にはプライミング電極１４がデータ電極９と直交する方向に形成されてプライミングセル１３ａを構成している。すなわちプライミング電極１４はすべての隙間部１３に設けられているのではなく、隙間部１３のうち１つおきのプライミングセル１３ａに設けられている。そして、放電セル１１に対応する誘電体層１５の表面と隔壁１０の側面とに蛍光体層１２が設けられている。ただし、隙間部１３側には蛍光体層１２は設けていない。
【００２２】
前面基板１と背面基板２を対向配置し封着する際、前面基板１上に形成された走査電極６の金属母線６ｂのうち光吸収層８上に突出した突出部分６ｂ’が背面基板２上に形成されたプライミング電極１４と平行に、かつプライミングセル１３ａの中で対向するように位置合わせする。すなわち、図１、図２に示したパネルは、前面基板１側に形成された突出部分６ｂ’と、背面基板２側に形成されたプライミング電極１４との間でプライミング放電を行うプライミングセル１３ａをもつ構成となっている。
【００２３】
なお、図１、図２にはプライミング電極１４を覆うようにさらに誘電体層１６が形成されている。
【００２４】
ここで、プライミング放電を発生しやすくするために、プライミングセル１３ａには放電を阻害する働きのある蛍光体層１２は設けられていない。さらに、走査電極６の突出部分６ｂ’とプライミング電極１４との間隔はデータ電極９と走査電極６との間隔よりも短いので、プライミング放電は書込み放電に比較して放電開始電圧が低く放電が発生しやすい。
【００２５】
図３は本発明の実施の形態に用いられるパネルの電極配列図である。列方向にｍ列のデータ電極Ｄ１〜Ｄｍ（図１のデータ電極９）が配列され、行方向にｎ行の走査電極ＳＣ１〜ＳＣｎ（図１の走査電極６）とｎ行の維持電極ＳＵ１〜ＳＵｎ（図１の維持電極７）とが維持電極ＳＵ１−走査電極ＳＣ１−走査電極ＳＣ２−維持電極ＳＵ２−・・・となるように２本ずつ交互に配列されている。そして、本実施の形態においては奇数行目の走査電極ＳＣ１、ＳＣ３、・・・のみに突出部分６ｂ’が設けられ、これらの走査電極ＳＣ１、ＳＣ３、・・・の突出部分と対向するようにｎ／２行のプライミング電極ＰＲ１、ＰＲ３、・・・（図１のプライミング電極１４）が配列されている。
【００２６】
そして、１対の走査電極ＳＣｉ、維持電極ＳＵｉ（ｉ＝１〜ｎ）と１つのデータ電極Ｄｊ（ｊ＝１〜ｍ）とを含む放電セルＣｉ，ｊ（図１の放電セル１１）が放電空間内にｍ×ｎ個形成され、走査電極ＳＣｐ（ｐ＝奇数）の突出部分６ｂ’とプライミング電極ＰＲｐとを含むプライミングセルＰｐ（図１のプライミングセル１３ａ）がｎ／２行形成されている。
【００２７】
このように本発明の実施の形態に用いられるパネルにおいては、奇数行目の走査電極ＳＣｐは突出部分６ｂ’をもち、自己の走査に伴ってプライミング放電を発生させるとともに書込みを行う走査電極であり、一方遇数行目の走査電極ＳＣｐ＋１は突出部分６ｂ’がなく、自己の走査に伴うプライミング放電を発生させずに書込みを行う走査電極を構成している。
【００２８】
次に、パネルを駆動するための駆動波形とそのタイミングについて説明する。
【００２９】
図４は、本発明の実施の形態に用いられるパネルの駆動方法の駆動波形図である。なお本実施の形態においては、１フィールド期間が初期化期間、書込み期間、維持期間を有する複数のサブフィールドから構成されているが、それぞれのサブフィールドは維持期間における維持パルスの数が異なる以外は同様の動作を行うため、１つのサブフィールドにおける動作について以下に説明する。
【００３０】
初期化期間前半部では、データ電極Ｄ１〜Ｄｍ、維持電極ＳＵ１〜ＳＵｎおよびプライミング電極ＰＲ１〜ＰＲｎをそれぞれ０（Ｖ）に保持し、走査電極ＳＣ１〜ＳＣｎには、維持電極ＳＵ１〜ＳＵｎに対して放電開始電圧以下の電圧Ｖｉ１から、放電開始電圧を超える電圧Ｖｉ２に向かって緩やかに上昇する傾斜波形電圧を印加する。この傾斜波形電圧が上昇する間に、走査電極ＳＣ１〜ＳＣｎと維持電極ＳＵ１〜ＳＵｎ、データ電極Ｄ１〜Ｄｍ、プライミング電極ＰＲ１〜ＰＲｎとの間でそれぞれ一回目の微弱な初期化放電が起こり、走査電極ＳＣ１〜ＳＣｎ上部に負の壁電圧が蓄積されるとともに、データ電極Ｄ１〜Ｄｍ上部、維持電極ＳＵ１〜ＳＵｎ上部およびプライミング電極ＰＲ１〜ＰＲｎ上部には正の壁電圧が蓄積される。ここで、電極上部の壁電圧とは電極を覆う誘電体層上に蓄積された壁電荷により生じる電圧をあらわす。
【００３１】
初期化期間後半部では、維持電極ＳＵ１〜ＳＵｎを正電圧Ｖｅに保ち、走査電極ＳＣ１〜ＳＣｎには、維持電極ＳＵ１〜ＳＵｎに対して放電開始電圧以下となる電圧Ｖｉ３から放電開始電圧を超える電圧Ｖｉ４に向かって緩やかに下降する傾斜波形電圧を印加する。この間に、走査電極ＳＣ１〜ＳＣｎと維持電極ＳＵ１〜ＳＵｎ、データ電極Ｄ１〜Ｄｍ、プライミング電極ＰＲ１〜ＰＲｎとの間でそれぞれ二回目の微弱な初期化放電が起こる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書込み動作に適した値に調整され、プライミング電極ＰＲ１〜ＰＲｎ上部の正の壁電圧もプライミング動作に適した値に調整される。以上により初期化動作が終了する。
【００３２】
書込み期間では、走査電極ＳＣ１〜ＳＣｎを一旦電圧Ｖｃに保持する。そして、プライミング電極ＰＲ１〜ＰＲｎに電圧変化分（Ｖｃ−Ｖｉ４）とほぼ等しい電圧Ｖｑを印加する。
【００３３】
次に、１行目の走査電極ＳＣ１に走査パルスＶａを印加する。すると、プライミング電極ＰＲ１と走査電極ＳＣ１の突出部分６ｂ’との間でプライミング放電が発生し、１行目の走査電極ＳＣ１に対応する１行目の放電セルＣ１，１〜Ｃ１，ｍおよび２行目の走査電極ＳＣ２に対応する２行目の放電セルＣ２，１〜Ｃ２，ｍ内部にプライミングを拡散させる。このときの放電は上述したようにプライミングセルが放電しやすい構造であるため放電遅れが小さく速い安定したプライミング放電が得られる。
【００３４】
このとき同時に、データ電極Ｄ１〜Ｄｍのうち１行目に表示すべき画像信号に対応するデータ電極Ｄｋ（ｋは１〜ｍの整数をあらわす）に正の書込みパルス電圧Ｖｄを印加する。すると、書込みパルス電圧Ｖｄを印加したデータ電極Ｄｋと走査電極ＳＣ１との交差部で放電が発生し、対応する放電セルＣ１，ｋの維持電極ＳＵ１と走査電極ＳＣ１との間の放電に進展する。そして、放電セルＣ１，ｋの走査電極ＳＣ１上部に正電圧が蓄積され、維持電極ＳＵ１上部に負電圧が蓄積され、１行目の書込み動作が終了する。このように、１行目の走査期間にはプライミング放電と書込み放電が連続して発生するため、１行目の走査電極ＳＣ１に印加される走査パルスのパルス幅はプライミング放電に必要な時間ｔｐと書込み放電に必要な時間ｔｗとの和ｔｐ＋ｔｗである。
【００３５】
ここで、１行目の走査電極ＳＣ１は、自己の走査に伴ってプライミング放電を発生させるとともに書込みを行う走査電極である。そして、放電セルＣ１，ｋの放電は、走査電極ＳＣ１とプライミング電極ＰＲ１との間で発生したプライミング放電からプライミングが供給されつつ発生するので、プライミングセルからプライミングの供給が始まるまでの時間遅れはあるものの、プライミング供給後は放電遅れが小さく安定な放電となる。
【００３６】
次に、２行目の走査電極ＳＣ２に１行目のパルス幅より短いパルス幅をもつ走査パルス電圧Ｖａを印加する。このとき同時に、データ電極Ｄ１〜Ｄｍのうち２行目に表示すべき画像信号に対応するデータ電極Ｄｋに正の書込みパルス電圧Ｖｄを印加する。すると、データ電極Ｄｋと走査電極ＳＣ２との交差部で放電が発生し、対応する放電セルＣ２，ｋの維持電極ＳＵ２と走査電極ＳＣ２との間の放電に進展する。そして、放電セルＣ２，ｋの走査電極ＳＣ２上部に正電圧が蓄積され、維持電極ＳＵ２上部に負電圧が蓄積され、２行目の書込み動作が終了する。
【００３７】
ここで、２行目の走査電極ＳＣ２に印加する走査パルスのパルス幅が第１のパルス幅、すなわちｔｐ＋ｔｗより短い理由は以下の通りである。２行目の走査電極ＳＣ２は自己の走査に伴うプライミング放電を発生させずに書込みを行う走査電極であり、放電セルＣ２，ｋの放電は、走査電極ＳＣ１とプライミング電極ＰＲ１との間で発生したプライミング放電から十分なプライミングがすでに供給された状態で発生する。したがって、プライミング放電に必要な時間ｔｐを見込む必要がないためである。このときの書込み放電の放電遅れは非常に小さく安定な放電となることはいうまでもない。
【００３８】
以下同様に、３行目の走査電極ＳＣ３に第１のパルス幅ｔｐ＋ｔｗをもつ走査パルスを印加するとともに、データ電極Ｄｋに書込みパルスを印加する。すると、まず、プライミング電極ＰＲ３と走査電極ＳＣ３の間でプライミング放電が発生し、３行目と４行目の放電セルＣ３，１〜Ｃ３，ｍと放電セルＣ４，１〜Ｃ４，ｍとの内部にプライミングを供給する。続いて、書込みパルス電圧を印加したデータ電極Ｄｋに対応する放電セルＣ３，ｋで書込み放電が発生する。
【００３９】
次に、４行目の走査電極ＳＣ４にパルス幅ｔｗをもつ走査パルスを印加するとともにデータ電極Ｄｋに正の書込みパルスを印加する。すると、対応する放電セルＣ３，ｋでは、すでに供給されているプライミングの影響で放電遅れの非常に小さい安定な書込み放電が発生する。
【００４０】
同様の書込み動作をｎ行目の放電セルＣｎ，ｋに至るまで行い、書込み動作が終了する。
【００４１】
このように、奇数行目の放電セルＣｐ，１〜Ｃｐ，ｍ（ｐ＝奇数）の書込み動作時においては、走査電極ＳＣｐに第１のパルス幅ｔｐ＋ｔｗをもつ走査パルスを印加するとともに、データ電極Ｄｋに書込みパルスを印加する。すると、まずプライミング電極ＰＲｐと走査電極ＳＣｐとの間でプライミング放電が発生し、放電セルＣｐ，１〜Ｃｐ，ｍと放電セルＣｐ＋１，１〜Ｃｐ＋１，ｍとの内部にプライミングを供給する。その後引き続いて書込みパルス電圧を印加したデータ電極Ｄｋに対応する放電セルＣｐ，ｋで書込み放電が発生する。
【００４２】
次に、偶数行目の放電セルＣｐ＋１，１〜Ｃｐ＋１，ｍの書込み動作時においては、ｐ＋１行目の走査電極ＳＣｐ＋１にパルス幅ｔｗをもつ走査パルスを印加するとともにデータ電極Ｄｋに書込みパルスを印加する。すると、対応する放電セルＣｐ＋１，ｋでは、すでに供給されているプライミングの影響で放電遅れの非常に小さい安定な書込み放電が発生する。
【００４３】
維持期間においては、走査電極ＳＣ１〜ＳＣｎおよび維持電極ＳＵ１〜ＳＵｎを０（Ｖ）に一旦戻した後、走査電極ＳＣ１〜ＳＣｎに正の維持パルス電圧Ｖｓを印加する。このとき、書込み放電を起こした放電セルＣｉ，ｊにおける走査電極ＳＣｉ上部と維持電極ＳＵｉ上部との間の電圧は、維持パルス電圧Ｖｓに加えて、書込み期間において走査電極ＳＣｉ上部および維持電極ＳＵｉ上部に蓄積された壁電圧が加算されるので放電開始電圧を超え維持放電が発生する。以降同様に、走査電極ＳＣ１〜ＳＣｎと維持電極ＳＵ１〜ＳＵｎとに維持パルスを交互に印加することにより、書込み放電を起こした放電セルＣｉ，ｋに対して維持パルスの回数だけ維持放電が継続して行われる。
【００４４】
以上説明したように、本発明の実施の形態に用いられるパネルの駆動方法における書込み放電は、従来の駆動方法における初期化放電のプライミングのみに依存した書込み放電とは異なり、各放電セルの書込み動作と同時あるいは直前に発生させたプライミング放電から十分なプライミングが供給された状態で行うものである。したがって、放電遅れが小さく、高速かつ安定な書込み放電が実現でき、品質の高い画像を表示することができる。
【００４５】
さらに、プライミングセル近傍に存在する電極はプライミング電極１４と走査電極６だけであるため、プライミング放電が他の不要な放電、たとえば維持電極を含む誤放電などを引き起こす恐れがなく、プライミング放電そのものの動作が安定するという利点もある。
【００４６】
なお、ＡＣ型ＰＤＰの各電極は誘電体層に囲まれており放電空間と絶縁されているため直流成分は放電そのものには何ら寄与しない。したがって、本発明の実施の形態で説明した駆動波形に直流成分を加えた波形を用いても同様の効果が得られることはいうまでもない。
【００４７】
図５は、本発明の実施の形態に用いられるパネルの駆動方法を用いた駆動装置の回路ブロックの一例を示す図である。本実施の形態における駆動装置１００は、画像信号処理回路１０１、データ電極駆動回路１０２、タイミング制御回路１０３、走査電極駆動回路１０４、維持電極駆動回路１０５およびプライミング電極駆動回路１０６を有している。画像信号および同期信号は、画像信号処理回路１０１に入力される。画像信号処理回路１０１は、画像信号および同期信号に基づいて、各サブフィールドを点灯するか否かを制御するサブフィールド信号をデータ電極駆動回路１０２に出力する。また、同期信号はタイミング制御回路１０３にも入力される。タイミング制御回路１０３は同期信号に基づいて、データ電極駆動回路１０２、走査電極駆動回路１０４、維持電極駆動回路１０５、プライミング電極駆動回路１０６にタイミング制御信号を出力する。
【００４８】
データ電極駆動回路１０２は、サブフィールド信号およびタイミング制御信号に応じて、パネルのデータ電極（図３のデータ電極Ｄ１〜Ｄｍ）に所定の駆動波形を印加する。走査電極駆動回路１０４はタイミング制御信号に応じてパネルの走査電極（図３の走査電極ＳＣ１〜ＳＣｎ）に所定の駆動波形を印加し、維持電極駆動回路１０５はタイミング制御信号に応じてパネルの維持電極（図３の維持電極ＳＵ１〜ＳＵｎ）に所定の駆動波形を印加する。プライミング電極駆動回路１０６はタイミング制御信号に応じてパネルのプライミング電極（図３のプライミング電極ＰＲ１〜ＰＲｎ）に所定の駆動波形を印加する。データ電極駆動回路１０２、走査電極駆動回路１０４、維持電極駆動回路１０５、プライミング電極駆動回路１０６には電源回路（図示せず）から必要な電力が供給されている。
【００４９】
以上の回路ブロックを備えることによって本実施の形態におけるパネルの駆動方法を用いた駆動装置を構成することができる。
【００５０】
【発明の効果】
以上のように本発明によれば、書込み動作を安定にかつ高速に行うことができるプラズマディスプレイパネルの駆動方法を提供することができる。
【図面の簡単な説明】
【図１】本発明の実施の形態に用いられるパネルの一例を示す断面図
【図２】同パネルの背面基板側の構造を模式的に示す斜視図
【図３】同パネルの電極配列図
【図４】同パネルの駆動方法の駆動波形図
【図５】同パネルの駆動方法を用いた駆動装置の回路ブロックの一例を示す図
【符号の説明】
１  前面基板
２  背面基板
４  誘電体層
５  保護層
６  走査電極
６ａ，７ａ  透明電極
６ｂ，７ｂ  金属母線
６ｂ’  突出部分
７  維持電極
８  光吸収層
９  データ電極
１０  隔壁
１０ａ  縦壁部
１０ｂ  横壁部
１１  放電セル
１２  蛍光体層
１３  隙間部
１３ａ  プライミングセル
１４  プライミング電極
１００  駆動装置
１０１  画像信号処理回路
１０２  データ電極駆動回路
１０３  タイミング制御回路
１０４  走査電極駆動回路
１０５  維持電極駆動回路
１０６  プライミング電極駆動回路
【図１】
2004287175.tif 000003
【図２】
2004287175.tif 000004
【図３】
2004287175.tif 000005
【図４】
2004287175.tif 000006
【図５】
2004287175.tif 000007